(57)【要約】【課題】コンテンツの著作権を保護しつつ、正当なユーザのみに安定的に再生を可能にする車載光ディスク再生装置を提供する。【解決手段】車載光ディスク再生装置において、光ディスクのディスク固有情報を読み取り、かつ、ＩＣカードなどより車両固有情報を入力する。そして、ディスク固有情報と車両固有情報から暗号鍵を作成して、作成された暗号鍵により、光ディスクに格納されているコンテンツを、暗号化して、ＨＤＤに記憶する。そのとき、車両のゆれを検知したときには、暗号化されたコンテンツをＨＤＤに記憶する処理を中止する。暗号化されたコンテンツを再生するときには、ディスク固有情報をチェックし、オリジナルのディスクが挿着されているときにのみに、保持している暗号鍵により、暗号化されたコンテンツを復号化して、元のコンテンツを生成して再生する。【選択図】図１
2009301666.tif 000002
【特許請求の範囲】
【請求項１】
光ディスクを特定するディスク固有情報を有する光ディスクに格納されているコンテンツを再生する光ディスク再生装置において、
前記光ディスクのディスク固有情報を読み取る手段と、
前記光ディスク再生装置が置かれた場所の環境情報、または、前記光ディスク再生装置の固有情報を入力する手段と、
前記ディスク固有情報と前記光ディスク再生装置が置かれた場所の環境情報または前記光ディスク再生装置の固有情報とから暗号鍵を作成する手段と、
前記暗号鍵により、前記光ディスクに格納されている第一のコンテンツを、第二のコンテンツに暗号化する手段と、
前記第二のコンテンツを補助記憶装置に記憶する手段と、
前記暗号鍵により、前記補助記憶装置に記憶された第二のコンテンツを復号化して、前記第一のコンテンツを生成する手段と、
挿着された光ディスクのディスク固有情報が、前記暗号鍵を作成したときの光ディスク固有情報と一致するか否かを判定する手段と、
前記挿着された光ディスクのディスク固有情報が、前記暗号鍵を作成したときの光ディスク固有情報と一致すると判定したときには、前記復号化された第一のコンテンツを再生する手段とを有することを特徴とする光ディスク再生装置。
【請求項２】
光ディスクを特定するディスク固有情報を有する光ディスクに格納されているコンテンツを再生し、移動体に搭載される車載光ディスク再生装置において、
前記光ディスクのディスク固有情報を読み取る手段と、
前記移動体の車両固有情報を入力する手段と、
前記ディスク固有情報と前記車両固有情報とから暗号鍵を作成する手段と、
前記暗号鍵により、前記光ディスクに格納されている第一のコンテンツを、第二のコンテンツに暗号化する手段と、
前記第二のコンテンツを補助記憶装置に記憶する手段と、
前記暗号鍵により、前記補助記憶装置に記憶された第二のコンテンツを復号化して、前記第一のコンテンツを生成する手段と、
挿着された光ディスクのディスク固有情報が、前記暗号鍵を作成したときの光ディスク固有情報と一致するか否かを判定する手段と、
前記挿着された光ディスクのディスク固有情報が、前記暗号鍵を作成したときの光ディスク固有情報と一致すると判定したときには、前記復号化された第一のコンテンツを再生する手段とを有することを特徴とする車載光ディスク再生装置。
【請求項３】
前記移動体は、移動体の振動を検知する手段を有し、
前記第二のコンテンツを補助記憶装置に記憶する手段は、前記振動を検知する手段が、移動体の振動を検知したときには、前記第二のコンテンツを記憶する処理を中断することを特徴とする請求項２記載の車載光ディスク再生装置。
【請求項４】
光ディスクを特定するディスク固有情報を有する光ディスクに格納されているコンテンツを光ディスク再生装置によって再生する光ディスク再生システムおいて、
コンテンツコピー装置を備え、
前記コンテンツコピー装置は、
前記光ディスクのディスク固有情報を読み取る手段と、
前記光ディスク再生装置が置かれた場所の環境情報、または、前記光ディスク再生装置の固有情報を入力する手段と、
前記ディスク固有情報と前記光ディスク再生装置が置かれた場所の環境情報または前記光ディスク再生装置の固有情報とから暗号鍵を作成する手段と、
前記暗号鍵により、前記光ディスクに格納されている第一のコンテンツを、第二のコンテンツに暗号化する手段と、
前記第二のコンテンツを携帯型記憶媒体に出力する手段とを有し、
前記光ディスク再生装置は、
前記光ディスクのディスク固有情報を読み取る手段と、
前記光ディスク再生装置の環境情報を入力する手段と、
前記ディスク固有情報と前記環境情報とから暗号鍵を作成する手段と、
前記第二のコンテンツを携帯型記憶媒体から入力する手段とを有し、
前記暗号鍵により、前記携帯型記憶媒体から入力された第二のコンテンツを復号化して、前記第一のコンテンツを生成する手段と、
挿着された光ディスクのディスク固有情報が、前記暗号鍵を作成したときの光ディスク固有情報と一致するか否かを判定する手段と、
前記挿着された光ディスクのディスク固有情報が、前記暗号鍵を作成したときの光ディスク固有情報と一致すると判定したときには、前記復号化された第一のコンテンツを再生する手段とを有することを特徴とする光ディスク再生システム。
【請求項５】
移動体に搭載される車載光ディスク再生装置と、前記車載光ディスク再生装置と無線通信により接続され、前記車載光ディスク再生装置にコンテンツを配信するコンテンツ配信サーバとを備え、ディスク固有情報を有する光ディスクに関連するコンテンツを再生する光ディスク再生システムにおいて、
前記車載光ディスク再生装置は、
前記光ディスクのディスク固有情報を読み取る手段と、
前記移動体の車両固有情報を入力する手段と、
前記ディスク固有情報と前記車両固有情報とから暗号鍵を作成する手段と、
前記無線通信により、前記ディスク固有情報を前記コンテンツ配信サーバに送信する手段と、
前記無線通信により、前記コンテンツ配信サーバから第一のコンテンツを受信する手段と、
前記暗号鍵により、前記コンテンツ配信サーバから受信した第一のコンテンツを、第二のコンテンツに暗号化する手段と、
前記第二のコンテンツを補助記憶装置に記憶する手段と、
前記暗号鍵により、前記補助記憶装置に記憶された第二のコンテンツを復号化して、前記第一のコンテンツを生成する手段と、
挿着された光ディスクのディスク固有情報が、前記暗号鍵を作成したときの光ディスク固有情報と一致するか否かを判定する手段と、
前記挿着された光ディスクのディスク固有情報が、前記暗号鍵を作成したときの光ディスク固有情報と一致すると判定したときには、前記復号化された第一のコンテンツを再生する手段とを有し、
前記コンテンツ配信サーバは、
前記車載光ディスク再生装置から受信したディスク固有情報に関連する前記第一のコンテンツを、前記車載光ディスク再生装置に送信する手段を有することを特徴とする車載光ディスク再生システム。
【請求項６】
前記移動体は、移動体の振動を検知する手段を有し、
前記第二のコンテンツを補助記憶装置に記憶する手段は、前記振動を検知する手段が、移動体の振動を検知したときには、前記第二のコンテンツを記憶する処理を中断することを特徴とする請求項５記載の車載光ディスク再生システム。
【請求項７】
前記車載光ディスク再生装置は、さらに、車両固有情報も、前記コンテンツ配信サーバに送信する手段を有し、
前記コンテンツ配信サーバは、前記車載光ディスク再生装置から受信したディスク固有情報と前記車両固有情報とに関連する前記第一のコンテンツを、前記車載光ディスク再生装置に送信する手段を有することを特徴とする請求項５記載の車載光ディスク再生システム。
【請求項８】
光ディスク再生装置と、前記光ディスク再生装置とネットワークにより接続され、前記光ディスク再生装置にコンテンツを配信するコンテンツ配信サーバとを備え、光ディスクを特定するディスク固有情報を有する光ディスクに関連するコンテンツを再生する光ディスク再生システムにおいて、
コンテンツコピー装置を備え、
前記コンテンツコピー装置は、
前記光ディスクのディスク固有情報を読み取る手段と、
前記光ディスク再生装置が置かれた場所の環境情報、または、前記光ディスク再生装置の固有情報を入力する手段と、
前記ディスク固有情報と前記光ディスク再生装置が置かれた場所の環境情報または前記光ディスク再生装置の固有情報とから暗号鍵を作成する手段と、
前記ネットワークにより、前記ディスク固有情報を前記コンテンツ配信サーバに送信する手段と、
前記ネットワークにより、前記コンテンツ配信サーバから第一のコンテンツを受信する手段と、
前記暗号鍵により、前記光ディスクに格納されている第一のコンテンツを、第二のコンテンツに暗号化する手段と、
前記第二のコンテンツを携帯型記憶媒体に出力する手段とを有し、
前記光ディスク再生装置は、
前記光ディスクのディスク固有情報を読み取る手段と、
前記光ディスク再生装置が置かれた場所の環境情報、または、前記光ディスク再生装置の固有情報を入力する手段と、
前記ディスク固有情報と前記光ディスク再生装置が置かれた場所の環境情報または前記光ディスク再生装置の固有情報とから暗号鍵を作成する手段と、
前記第二のコンテンツを携帯型記憶媒体から入力する手段とを有し、
前記暗号鍵により、前記携帯型記憶媒体から入力された第二のコンテンツを復号化して、前記第一のコンテンツを生成する手段と、
挿着された光ディスクのディスク固有情報が、前記暗号鍵を作成したときの光ディスク固有情報と一致するか否かを判定する手段と、
前記挿着された光ディスクのディスク固有情報が、前記暗号鍵を作成したときの光ディスク固有情報と一致すると判定したときには、前記復号化された第一のコンテンツを再生する手段とを有し、
前記コンテンツ配信サーバは、
前記光ディスク再生装置から受信したディスク固有情報に関連する前記第一のコンテンツを、前記光ディスク再生装置に送信する手段を有することを特徴とする光ディスク再生システム。
【請求項９】
光ディスクを特定するディスク固有情報を有する光ディスクに格納されているコンテンツを光ディスク再生装置によって、再生する光ディスク再生方法おいて、
前記光ディスク再生装置は、ＣＰＵと主記憶装置とを有し、前記主記憶装置に記憶されたプログラムを実行することよって制御をおこなう制御部を有し、
前記制御部が、前記光ディスクのディスク固有情報を読み取らせるステップと、
前記制御部が、前記光ディスク再生装置が置かれた場所の環境情報または前記光ディスク再生装置の固有情報を読み取らせるステップと、
前記制御部が、前記ディスク固有情報と前記光ディスク再生装置が置かれた場所の環境情報または前記光ディスク再生装置の固有情報とから暗号鍵を作成させるステップと、
前記制御部が、前記暗号鍵により、前記光ディスクに格納されている第一のコンテンツを、第二のコンテンツに暗号化させるステップと、
前記制御部が、前記第二のコンテンツを補助記憶装置に記憶させるステップと、
前記制御部が、前記暗号鍵により、前記補助記憶装置に記憶された第二のコンテンツを復号化させて、前記第一のコンテンツを生成するステップと、
前記制御部が、光ディスクが挿着されており、挿着された光ディスクのディスク固有情報が、前記暗号鍵を作成させたときの光ディスク固有情報と一致するか否かを判定するステップと、
前記制御部が、挿着された光ディスクのディスク固有情報が、前記暗号鍵を作成させたときの光ディスク固有情報と一致すると判定したときには、前記復号化された第一のコンテンツを再生させるステップとを有することを特徴とする光ディスク再生方法。
【請求項１０】
光ディスクを特定するディスク固有情報を有する光ディスクに格納されているコンテンツを移動体に搭載される車載光ディスク再生装置によって、再生する光ディスク再生方法おいて、
前記車載光ディスク再生装置は、ＣＰＵと主記憶装置とを有し、前記主記憶装置に記憶されたプログラムを実行することよって制御をおこなう制御部を有し、
前記制御部が、前記光ディスクのディスク固有情報を読み取らせるステップと、
前記制御部が、前記移動体の車両固有情報を読み取らせるステップと、
前記制御部が、前記ディスク固有情報と前記車両固有情報とから暗号鍵を作成させるステップと、
前記制御部が、前記暗号鍵により、前記光ディスクに格納されている第一のコンテンツを、第二のコンテンツに暗号化させるステップと、
前記制御部が、前記第二のコンテンツを補助記憶装置に記憶させるステップと、
前記制御部が、前記暗号鍵により、前記補助記憶装置に記憶された第二のコンテンツを復号化して、前記第一のコンテンツを生成させるステップと、
前記制御部が、挿着された光ディスクのディスク固有情報が、前記暗号鍵を作成させたときの光ディスク固有情報と一致するか否かを判定するステップと、
前記制御部が、前記挿着された光ディスクのディスク固有情報が、前記暗号鍵を作成させたときの光ディスク固有情報と一致すると判定したときには、前記復号化された第一のコンテンツを再生させるステップとを有することを特徴とする光ディスク再生方法。
【請求項１１】
前記制御部に、前記移動体に振動があると入力されたときには、前記制御部は、前記第二のコンテンツを補助記憶装置に記憶させるステップの処理を停止することを特徴とする請求項１０記載の光ディスク再生方法。
【請求項１２】
光ディスクを特定するディスク固有情報を有する光ディスクに格納されているコンテンツを光ディスク再生装置によって、再生する光ディスク再生方法おいて、
コンテンツコピー装置を備え、
前記コンテンツコピー装置は、ＣＰＵと主記憶装置とを有し、前記主記憶装置に記憶されたプログラムを実行することよって制御をおこなう制御部を有し、
前記光ディスク再生装置は、ＣＰＵと主記憶装置を有し、前記主記憶装置に記憶されたプログラムを実行することよって制御をおこなう制御部を有し、
前記コンテンツコピー装置の制御部が、前記光ディスクのディスク固有情報を読み取らせるステップと、
前記コンテンツコピー装置の制御部が、前記光ディスク再生装置が置かれた場所の環境情報または前記光ディスク再生装置の固有情報を読み取らせるステップと、
前記コンテンツコピー装置の制御部が、前記ディスク固有情報と前記光ディスク再生装置が置かれた場所の環境情報または前記光ディスク再生装置の固有情報とから暗号鍵を作成させるステップと、
前記コンテンツコピー装置の制御部が、前記暗号鍵により、前記光ディスクに格納されている第一のコンテンツを、第二のコンテンツに暗号化させるステップと、
前記コンテンツコピー装置の制御部が、前記第二のコンテンツを携帯型記憶媒体に出力させるステップと、
前記光ディスク再生装置の制御部が、前記光ディスクのディスク固有情報を読み取らせるステップと、
前記光ディスク再生装置の制御部が、前記光ディスク再生装置が置かれた場所の環境情報または前記光ディスク再生装置の固有情報を読み取らせるステップと、
前記光ディスク再生装置の制御部が、前記ディスク固有情報と前記光ディスク再生装置が置かれた場所の環境情報または前記光ディスク再生装置の固有情報とから暗号鍵を作成させるステップと、
前記光ディスク再生装置の制御部が、前記第二のコンテンツを携帯型記憶媒体から読み取らせるステップとを有し、
前記光ディスク再生装置の制御部が、前記暗号鍵により、前記携帯型記憶媒体から入力された第二のコンテンツを復号化して、前記第一のコンテンツを生成させるステップと、
前記光ディスク再生装置の制御部が、挿着された光ディスクのディスク固有情報が、前記暗号鍵を作成させたときの光ディスク固有情報と一致するか否かを判定するステップと、
前記光ディスク再生装置の制御部が、前記挿着された光ディスクのディスク固有情報が、前記暗号鍵を作成させたときの光ディスク固有情報と一致すると判定したときには、前記復号化された第一のコンテンツを再生させるステップとを有することを特徴とする光ディスク再生システム。
【発明の詳細な説明】
【技術分野】
【０００１】
本発明は、光ディスク再生装置に係り、光ディスク上のコンテンツの著作権を保護しつつ、正当なユーザに再生を可能にする技術であって、特に、その装置が車載のときの再生に用いて好適な光ディスク再生装置に関する。
【背景技術】
【０００２】
現在の映像や音声などのコンテンツは、デジタル化されて、ＣＤやＤＶＤなどの光ディスクに格納されて提供されることが多くなってきている。
【０００３】
デジタルデータは、コピーが容易であり、コピーによる劣化がないために、ＤＶＤやＢｌｕ−ｒａｙ  Ｄｉｓｃの規格では、コンテンツの著作権を保護するために、ＣＳＳ（Content Scrambling System）などのコピープロテクト技術が提案されている。
【０００４】
ＣＳＳでは、ＤＶＤのデジタルコピーを防ぐために記録されているデータを暗号化して、ＤＶＤプレイヤーまたはＤＶＤ再生ソフトウェアにこの暗号を解くための鍵を格納しておき、正しい手順で再生したときだけ暗号が解除されるようになっている。ＣＳＳのコピープロテクトがかけられたコンテンツは、復号が必要なために、単に、ＤＶＤ上のファイルを、ＨＤＤ（ハードディスクドライブ）上にコピーするだけでは、コンテンツを再生することができない。
【０００５】
ところで、ＤＶＤの後継となり、記録密度を高めたＢｌｕ−ｒａｙ  Ｄｉｓｃの普及が期待されている。Ｂｌｕ−ｒａｙ  Ｄｉｓｃは、データの読取りに青紫色半導体レーザーを用いており、ディスクのトラック幅もＤＶＤに比べて格段に狭いものになっている。
【０００６】
また、コンテンツをコンテンツ配信サーバからユーザに提供する形態がある。例えば、特許文献１には、コピー元ＰＣＩＤ、コピー元プレイヤＩＤ、コンテンツＩＤなどからなるコピー情報を登録する。そして、コピー元とコピー先でユーザ情報をサーバに登録しておき、コピーしたファイルを再生するときに、コピー先でユーザ情報の検証がＯＫであったときのみ、再生を許可することにより、著作権の保護とコンテンツのコピーの両立を可能としている。
【０００７】
【特許文献１】特開２００３−２４２０３８号公報
【発明の開示】
【発明が解決しようとする課題】
【０００８】
上述のように、Ｂｌｕ−ｒａｙ  Ｄｉｓｃの狭トラック化に伴い、車載などの用途のように、ゆれや振動がある環境では、安定的に再生できないおそれがある。したがって、ＨＤＤにコピーして再生することが望ましいが、上記のＣＳＳなどのコピープロテクトがかかっているデータは、単なるコピーだけでは再生することができない。もとより、コピーのかかっていないデータは、ＤＶＤやＢｌｕ−ｒａｙ  Ｄｉｓｃなどでは、著作権の保護という観点から、無料のコンテンツを除き提供することができない。
【０００９】
したがって、コンテンツの著作権の保護しつつ、車載環境などゆれや振動のあるような環境で、ＨＤＤなどの大容量記憶装置にコピーして再生する仕組みを提供することが必要になる。
【００１０】
また、特許文献１などのコンテンツ配信サーバ、ユーザの再生装置をネットワークでつないだ環境では、ユーザ情報が盗用されると無制限にコピーがされて、不法な再生されるという問題点がある。
【００１１】
本発明は、上記問題点を解決するためになされたもので、ＤＶＤやＢｌｕ−ｒａｙ  Ｄｉｓｃなどのコンテンツが保護されて提供される光ディスクの再生において、コンテンツの著作権を保護しつつ、正当なユーザのみに再生を可能にする光ディスク再生装置を提供することにある。
【００１２】
特に、車載などゆれや振動のある所に設置されるときでも、Ｂｌｕ−ｒａｙ  Ｄｉｓｃに格納されたコンテンツを安定して再生できる光ディスク再生装置を提供することにある。
【課題を解決するための手段】
【００１３】
本発明の車両などの移動体に搭載される車載光ディスク再生装置では、挿着された光ディスクのディスク固有情報を読み取り、かつ、ＩＣカードなどより車両の固有情報である車両固有情報を入力する。
【００１４】
そして、ディスク固有情報と車両固有情報から暗号鍵を作成して、作成された暗号鍵により、光ディスクに格納されているコンテンツを、暗号化して、ＨＤＤに記憶する。
【００１５】
ＨＤＤに記憶しているときに、車両のゆれを検知したときには、暗号化されたコンテンツをＨＤＤに記憶する処理を中止する。
【００１６】
ＨＤＤに記憶された暗号化されたコンテンツを再生するときには、保持している暗号鍵により、暗号化されたコンテンツを復号化して、元のコンテンツを生成して再生する。
【００１７】
このときに、オリジナルのディスクが挿着されているときにのみ、元のコンテンツを許可するものとする。オリジナルのディスクが挿着されているか否かは、現在の挿着された光ディスクのディスク固有情報が、暗号鍵を作成したときの光ディスク固有情報と一致するか否かで判定することができる。
【発明の効果】
【００１８】
本発明によれば、ＤＶＤやＢｌｕ−ｒａｙ  Ｄｉｓｃなどのコンテンツが保護されて提供される光ディスクの再生において、コンテンツの著作権を保護しつつ、正当なユーザのみに再生を可能にする光ディスク再生装置を提供することができる。
【００１９】
特に、車載などゆれや振動のある所に設置されるときでも、Ｂｌｕ−ｒａｙ  Ｄｉｓｃに格納されたコンテンツを安定して再生できる光ディスク再生装置を提供することができる。
【発明を実施するための最良の形態】
【００２０】
以下、本発明に係る各実施形態を、図１ないし図１５を用いて説明する。
【００２１】
〔実施形態１〕
以下、本発明に係る第一の実施形態を、図１ないし図４を用いて説明する。
【００２２】
先ず、図１および図２を用いて本発明の第一の実施形態に係る光ディスク再生装置のシステム構成を説明する。
図１は、本発明の第一の実施形態に係る車載光ディスク再生装置１０１の構成図である。
図２は、本発明の第一の実施形態に係る車載光ディスク再生装置１０１のハードウェア構成図である。
【００２３】
図１では、本実施形態の車載光ディスク再生装置１０１の構成として、機能と扱うデータの関係を中心にして模式的に説明している。
【００２４】
本実施形態の車載光ディスク再生装置１０１は、制御部１０８が、光ディスク１１０とハードディスクドライブ１０９に格納されたデータの読込みをおこなえるようになっている。
【００２５】
車載光ディスク再生装置１０１は、メモリエリア１０４、１０５、１０６上で、制御部１０８が、それぞれ図示したデータの演算処理をおこなうことを示している。
【００２６】
また、この車載光ディスク再生装置１０１の制御部１０８には、センサ１０２の情報が入力されて、車載光ディスク再生装置１０１と搭載された車両におけるゆれや振動などを検知できるようになっている。センサ１０２は、例えば、車速計、エンジン回転センサ、ジャイロや加速度センサである。
【００２７】
さらに、この車載光ディスク再生装置１０１は、ＩＣカード１４０や磁気カードの情報を読み取るカードリーダ１０３などの入出力装置を備えており、ＩＣカード１４０や磁気カードの情報を入力できるようになっている。
【００２８】
光ディスク１１０は、ディスク固有情報を有しており、コンテンツＡが格納されているものとする。ディスク固有情報は、例えば、ディスクごとに一意的にバーコードとしてつけられるシリアルＩＤであるＢＣＡ（Burst Cutting Area）などの情報である。
【００２９】
コンテンツＡは、例えば、ユーザが視聴を希望する映像データである。
【００３０】
図示していないが、この車載光ディスク再生装置１０１は、光ディスク１１０のデータの読取りをおこなう機構を有しており、表示部１０７により、コンテンツＡに関する映像が表示され音声が出力される。
【００３１】
車載光ディスク再生装置１０１のハードウェア構成をより詳細に示すと、図２のようになる。
【００３２】
車載光ディスク再生装置１０１は、ＣＰＵ１０、主記憶装置１１、表示部Ｉ／Ｆ１２、補助記憶部Ｉ／Ｆ１３、入出力Ｉ／Ｆ１４が、バス００によって結合された形態になっている。
【００３３】
ＣＰＵ１０は、各部の制御をおこない、主記憶装置１１上のプログラムを実行する。
【００３４】
主記憶装置１１は、一時的なデータと保持し、ハードディスクドライブ１０９からローディングされたプログラムを保持する。
【００３５】
本実施形態で実行されるプログラムには、暗号鍵処理プログラム３０、暗号処理プログラム３１、復号処理プログラム３２、コンテンツコピープログラム３３、コンテンツ再生プログラム３４がある。
【００３６】
暗号鍵処理プログラム３０は、ＩＣカード１４０や磁気カードの車両固有情報１１４と、光ディスクのディスク固有情報１２１から暗号鍵１３０を生成して、保持するプログラムである。
【００３７】
暗号処理プログラム３１は、暗号鍵１３０によりコンテンツＡを暗号化して、暗号化されたコンテンツＢを生成するプログラムである。
【００３８】
復号処理プログラム３２は、暗号鍵１３０により暗号化されたコンテンツＢを復号化して、元の平文であるコンテンツＡを生成するプログラムである。
【００３９】
コンテンツコピープログラム３３は、センサ１０２から入力される状況に応じて、コンテンツＡを暗号化されたコンテンツＢとして、ハードディスクドライブ１０９にコピーするプログラムである。
【００４０】
コンテンツ再生プログラム３４は、オリジナルの光ディスク１１０が光ディスク入出力部２０に挿着されているかを検出し、ＯＫのときには、ハードディスクドライブ１０９にコピーされたコンテンツＢを再生するプログラムである。
【００４１】
表示部Ｉ／Ｆ１２は、表示部１０７を接続するインタフェースである。
【００４２】
補助記憶部Ｉ／Ｆ１３は、例えば、ＥＩＤＥなどのインタフェースであり、光ディスク入出力部２０と、ハードディスクドライブ１０９を接続するインタフェースてある。
【００４３】
光ディスク入出力部２０は、光ディスク１１０のデータを読取る、光ディスク１１０が挿着されているの検出などの処理をおこなう部分であり、図１に図示したディスク検出部１１１、光ピックアップ１１２が含まれる。
【００４４】
ハードディスクドライブ１０９は、大容量の磁気記憶装置であり、図１に示したように暗号化したコンテンツＢが格納される。図示しなかったが、この車載光ディスク再生装置１０１で実行されるプログラムやその他の一時的なデータも記憶される。
【００４５】
入出力Ｉ／Ｆ１４は、例えば、ＵＳＢなどのインタフェースであり、カードリーダ１０３、センサー１０２、タッチボタン２１などの入出力装置を接続するＩ／Ｆである。
【００４６】
タッチボタン２１は、ユーザがこの車載光ディスク再生装置１０１を操作するときに用いる入力装置である。
【００４７】
次に、上記の図１および図２と、図３および図４を用いて本実施形態に係る車載光ディスク再生装置１０１の処理について説明する。
図３は、本発明の第一の実施形態に係る車載光ディスク再生装置１０１のコンテンツコピー時の処理を示すフローチャートである。
図４は、本発明の第一の実施形態に係る車載光ディスク再生装置１０１のコンテンツ再生時の処理を示すフローチャートである。
【００４８】
先ず、図３を用いて光ディスク１１０のコンテンツＡを、暗号化してコンテンツＢとしてハードディスクドライブ１０９に格納するときの処理を説明する。
【００４９】
先ず、光ディスク１１０のコンテンツを再生しようとするユーザは、その光ディスク１１０を光ディスク入出力部２０のトレイに挿入する（ステップ５０１）。
【００５０】
次に、制御部１０８は、光ディスク１１０のディスク固有情報１２１を読取り（ステップ５０２）、それを主記憶装置１１のメモリエリア１０４に保持する。
【００５１】
次に、制御部５０２は、カードリーダ１０３を介してＩＣカードや磁気カード上に記録された車両固有情報１１４を読み取り（ステップ５０３）、それを主記憶装置１１のメモリエリア１０４に保持する。
【００５２】
車両固有情報１１４は、例えば、ＥＴＣ（Electronic Toll Collection System）システムのＩＣカード１４０により読み取られる情報である。
【００５３】
そして、制御部５０２は、読み込んだディスク固有情報１２１と車両固有情報１１４に基づき暗号鍵１３０を作成し（ステップ５０４）、それを主記憶装置１１のメモリエリア１０４に保持する。暗号鍵１３０の作成のときには、例えば、ディスク固有情報１２１のビット列と車両固有情報１１４のビット列を合成し、既存の暗号作成のアルゴリズムのプログラムに入力するようにすればよい。
【００５４】
次に、制御部５０２は、主記憶装置１１のメモリエリア１０４にコンテンツＡを読み込む（ステップ５０５）。
【００５５】
このとき、制御部５０２は、センサ１０２から入力される情報を監視しており、振動があるか否かを判定して、振動があると判断されたときには、読込みを一時停止する（ステップ５０７、５０８）。
【００５６】
また、車速計より一定速度以下である、また、エンジンの回転数が一定以下であるなどの情報により、コンテンツＡの読込の可否を判断してもよい。
【００５７】
コンテンツＡの読込みが終わると（ステップ５０９）、コンテンツＡに対して作成された暗号鍵１３０に基づき、暗号化されたコンテンツＢを生成する（ステップ５１０）。
【００５８】
そして、暗号化されたコンテンツＢをハードディスクドライブ１０９上に保存する（ステップ５１１）。
【００５９】
次に、図４を用いてハードディスクドライブ１０９に格納されたコンテンツＢを復号化して、コンテンツＡを生成し、再生する処理を説明する。
【００６０】
コンテンツＡを再生しようとするときには、光ディスク入出力部２０のトレイに光ディスクを挿入する（ステップ６０１）。なお、この操作は、コンテンツＡの内容をコンテンツＢとしてコピーした直後で、ディスクがそのまま挿入されているときには必要ない。
【００６１】
次に、制御部１０８は、保持している暗号鍵１３０を取り出す（ステップ６０２）。
【００６２】
次に、コンテンツＢをハードディスクドライブ１０９からメモリエリア１０６に読み込み（ステップ６０３）、取り出した暗号鍵１３０を用いて復号処理を実施して（ステップ６０６）、平文のコンテンツＡを生成する。
【００６３】
そして、生成されたコンテンツＡの再生を開始する（ステップ６０５）。
【００６４】
再生時には、制御部１０８は、光ディスク入出力部２０にオリジナルの光ディスクが挿入されているか否かをチェックし（ステップ６０７）、オリジナルの光ディスクが挿入されていないときには、コンテンツＡの再生を停止する（ステップ６０８）。オリジナルの光ディスクが挿入されているか否かのチェックは、コピー時に読み込んで暗号鍵生成に用いたディスク固有情報と、現在挿入されている光ディスク１１０の固有情報が一致いるか否かによりチェックする。すなわち、コピー時に読み込んで暗号鍵生成に用いたディスク固有情報と、現在挿入されている光ディスク１１０の固有情報が一致しないとき、または、光ディスク入出力部２０に光ディスクが挿入されていないときには、オリジナルの光ディスクが挿入されていないものとして、再生を停止する。したがって、オリジナルの光ディスクがないとコピーを実施しても、コンテンツＡの再生はできないことになる。
【００６５】
そして、コンテンツＡの再生を、コンテンツＡの再生データがなくなるまで継続する（ステップ６０７、６０９）。
【００６６】
なお、本実施形態では、車載の光ディスク装置で説明したため、暗号鍵１３０を作るためのディスク固有情報１２１と対となる情報を、車両固有情報１１４としたが、光ディスク装置の用途によってはこれに限られず、光ディスク装置が置かれた場所の環境情報または装置ＩＤなどの光ディスク装置自体の固有情報などの光ディスク装置を一意に特定できる情報であればよい。
【００６７】
〔実施形態２〕
以下、本発明に係る第二の実施形態を、図５ないし図７を用いて説明する。
図５は、本発明の第二の実施形態に係る車載光ディスク再生システムの構成図である。
図６は、本発明の第二の実施形態に係るコンテンツコピー装置のハードウェア構成図である。
図７は、本発明の第二の実施形態に係る車載光ディスク装置のハードウェア構成図である。
【００６８】
第一の実施形態では、車載光ディスク再生装置上で、コンテンツの暗号化と復号化をおこない、コンテンツを再生する例について説明した。本実施形態は、車載光ディスク再生装置とは、別の装置でコンテンツを暗号化し、それを車載光ディスク再生装置に持っていき、車載光ディスク再生装置上で復号化して再生するものである。
【００６９】
本実施形態の車載光ディスク再生システムは、図５に示されるように、コンテンツコピー装置２０１と車載光ディスク再生装置２１９からなる。
【００７０】
本実施形態のコンテンツコピー装置２０１は、制御部１０８が、光ディスク１１０のデータを読み込み、メモリカード２０６上にデータを格納できるようになっている。
【００７１】
コンテンツコピー装置２０１は、メモリエリア２０４で、制御部２０５が、図示したデータの演算処理をおこなうことを示している。
【００７２】
また、このコンテンツコピー装置２０１は、ＩＣカードや磁気カードの情報を読み取るカードリーダ２０２を備えており、ＩＣカードや磁気カードの情報を入力できるようになっている。
【００７３】
さらに、メモリカードのデータの読み書きをおこなうメモリカード装置２５０も備えている。メモリカードは、携帯型記憶媒体の一種であって、記憶媒体としてフラッシュメモリを採用しているカード型の記憶装置であり、非常に小型で、しかもデータの読み書きにほとんど電力を消費しないため、モバイル機器の記録メディアとして普及している。
【００７４】
コンテンツコピー装置２０１の制御部２０４は、光ディスク装置２０７上のディスク固有情報２１４を読み取り、また、カードリーダ２０２より車両固有情報を読み取って、これらより、暗号鍵２４０ａを作成する。そして、光ディスク装置２０７上の元のコンテンツＡをコンテンツＢとして暗号化して、メモリカード装置２５０を介してメモリカード２０６にコンテンツＢを格納する。
【００７５】
本実施形態の車載光ディスク再生装置２１９は、コンテンツＢを復号化して、コンテンツＡとして再生する役割りを有するものである。
【００７６】
ユーザは、コンテンツコピー装置２０１の暗号化したときに用いたＩＣカードを車載光ディスク装置２１９のカードリーダ２２０に挿着して、その情報を読み取らせる。図５の矢印は、同一のＩＣカード２７０をコンテンツコピー装置２０１から車載光ディスク再生装置２１９に運搬することを示している。
【００７７】
また、暗号化されたコンテンツＢが格納されたメモリカード２０６を、車載光ディスク装置２１９のメモリカード装置２５０に挿着して、コンテンツＢを読み取らせる。図５の矢印は、同一のメモリカード２０６をコンテンツコピー装置２０１から車載光ディスク再生装置２１９に運搬することを示している。
【００７８】
ユーザは、コンテンツＡが格納されているオリジナルの光ディスクも、車載光ディスク装置２１９に挿入する必要がある。
【００７９】
そして、車載光ディスク再生装置２１９の制御部２２４は、光ディスク装置２０７上のディスク固有情報２１４を読み取り、また、カードリーダ２２０より車両固有情報を読み取って、これらより、暗号鍵２４０ｂを作成する。
【００８０】
そして、読み取ったメモリカード２０６上のコンテンツＢを暗号鍵２４０ｂにより復号化して、平文のコンテンツＡを生成し、ユーザは、生成されたコンテンツＡを再生し、表示部２２３により表示する。
【００８１】
再生時には、オリジナルの光ディスクが車載光ディスク再生装置２１９に挿入されているか否かをチェックして、オリジナルの光ディスクが車載光ディスク再生装置２１９に挿入されていないときには、再生を停止する。
【００８２】
オリジナルの光ディスク２０７が車載光ディスク再生装置２１９に挿入されているか否かは、最初に読み取って暗号鍵生成に用いたディスク固有情報２１４と現在の光ディスクのディスク固有情報が一致するか否かで検出することができる。
【００８３】
コンテンツの搭載された光ディスク２０７がＢｌｕ−ｒａｙ  Ｄｉｓｃであっても、車載光ディスク再生装置２１９の光ディスクドライブは、ディスク固有情報２１４を読み取る機能のみを有していればよく、安価なＤＶＤ−ＲＯＭ装置でよい
コンテンツコピー装置２０１のハードウェア構成をより詳細に示すと、図６のようになる。
【００８４】
コンテンツコピー装置２０１は、図２の車載光ディスク再生装置と類似したアーキテクチャであり、ＣＰＵ４１０、主記憶装置４１１、表示部Ｉ／Ｆ４１２、補助記憶部Ｉ／Ｆ４１３、入出力Ｉ／Ｆ４１４が、バス４００によって結合された形態になっている。これは、通常のＰＣ（パーソナルコンピュータ）で実現することができる。なお、ハードディスクドライブは、図示していないが通常のＰＣでは、有していることが一般的である。
【００８５】
各々の機能は、図２の車載光ディスク再生装置１０１と同様である。
【００８６】
本実施形態のコンテンツコピー装置２０１で実行されるプログラムには、暗号鍵処理プログラム４３０、暗号処理プログラム４３１、コンテンツコピープログラム３３がある。
【００８７】
暗号鍵処理プログラム４３０は、図２の車載光ディスク再生装置１０１の暗号鍵処理プログラム３０と同じ機能を有するプログラムである。
【００８８】
暗号処理プログラム４３１は、図２の車載光ディスク再生装置１０１の暗号鍵理プログラム３１と同じ機能を有するプログラムである。
【００８９】
コンテンツコピープログラム４３１は、図２の車載光ディスク再生装置１０１のコンテンツコピープログラム３３と同じ機能を有するプログラムである。
【００９０】
ただし、これらのプログラムは、暗号化されたコンテンツＢがメモリカード２０６上に格納されることが第一の実施形態の車載光ディスク再生装置１０１の各々のプログラムと異なっている。
【００９１】
入出力Ｉ／Ｆ４１４には、メモリカード２０６を挿着し、データを読み書きするためのメモリカード装置２５０が接続されている。
【００９２】
さらに、入出力Ｉ／Ｆ４１４には、ユーザのコマンドを入力するためのキーボード４２２、マウス４２３が接続されている。
【００９３】
車載光ディスク再生装置２１９のハードウェア構成をより詳細に示すと、図７のようになる。
【００９４】
車載光ディスク再生装置２１９は、図２の車載光ディスク再生装置と類似したアーキテクチャであり、ＣＰＵ５１０、主記憶装置５１１、表示部Ｉ／Ｆ５１２、補助記憶部Ｉ／Ｆ５１３、入出力Ｉ／Ｆ５１４が、バス５００によって結合された形態になっている。
【００９５】
各々の機能は、図２の車載光ディスク再生装置１０１と同様である。
【００９６】
本実施形態の車載光ディスク再生装置２１９で実行されるプログラムには、暗号鍵処理プログラム４３０、復号処理プログラム４３２、コンテンツ再生プログラム４３４がある。
【００９７】
復号処理プログラム４３２は、図２の車載光ディスク再生装置１０１の復号理プログラム３２と同じ機能を有するプログラムである。
【００９８】
コンテンツ再生プログラム４３４は、図２の車載光ディスク再生装置１０１のコンテンツ再生プログラム３４と同じ機能を有するプログラムである。
【００９９】
ただし、これらのプログラムは、暗号化されたコンテンツＢをメモリカード２０６から読み出すことが第一の実施形態の車載光ディスク再生装置１０１の各々のプログラムと異なっている。
【０１００】
入出力Ｉ／Ｆ５１４には、メモリカード２０６を挿着し、データを読み書きするためのメモリカード装置２６０が接続されている。
【０１０１】
次に、上記の図５ないし図７と、図８および図９を用いて本実施形態に係る車載光ディスク再生装置１０１の処理について説明する。
図８は、本発明の第二の実施形態に係るコンテンツコピー装置２０１のコンテンツコピー時の処理を示すフローチャートである。
図９は、本発明の第二の実施形態に係る車載光ディスク再生装置２１９のコンテンツ再生時の処理を示すフローチャートである。
【０１０２】
コンテンツコピー装置２０１のコンテンツコピー時の処理は、第一の実施形態の図３で示した車載光ディスク再生装置１０１のコンテンツコピー時の処理とほぼ同様であるが、図３のステップ５０６、５０７、５０８がなく、コンテンツＡの読み込み時に振動のチェックをしないことが異なっている。
【０１０３】
車載光ディスク再生装置２１９のコンテンツ再生時の処理は、第一の実施形態の図４で示した車載光ディスク再生装置１０１のコンテンツ再生時の処理とほぼ同様であるが、図４のステップ６０２が、ディスク固有情報を読み込むステップ（ステップ６０２ａ）、車両固有情報を読み込むステップ（ステップ６０２ｂ）、暗号鍵を作成するステップ（ステップ６０２ｃ）に置き換わっていることのみが異なっている。
【０１０４】
〔実施形態３〕
以下、本発明に係る第三の実施形態を、図１０ないし図１２を用いて説明する。
図１０は、本発明の第三の実施形態に係る車載光ディスク再生システムの構成図である。
図１１は、本発明の第三の実施形態に係る車載光ディスク装置のハードウェア構成図である。
図１２は、本発明の第三の実施形態に係るコンテンツ配信サーバのハードウェア構成図である。
【０１０５】
第一の実施形態では、車載光ディスク再生装置上で、コンテンツの暗号化と復号化をおこない、コンテンツを再生する例について説明した。暗号化されるコンテンツは、光ディスクに格納されたコンテンツであった。
【０１０６】
本実施形態は、暗号化されるコンテンツを外部のコンテンツ配信サーバから取り込むものである。
【０１０７】
本実施形態の車載光ディスク再生システムは、車載光ディスク再生装置１０１とコンテンツ配信サーバ３０４からなる。
【０１０８】
本実施形態のコンテンツコピー装置１０１は、第一の実施形態のコンテンツコピー装置１０１とほぼ同様の構造を有しているが、アンテナ３０２を介して無線通信３０１により外部からコンテンツを取り込めることが異なっている。
【０１０９】
光ディスク１１０には、第一の実施形態と同様に、ディスク固有情報とコンテンツＡが格納されている。
【０１１０】
コンテンツ配信サーバ３０４は、コンテンツを無線通信３０１により、車載通信装置１０１に配信するコンテンツのデータベースを備えたサーバである。ここでは、コンテンツＢを、光ディスク１１０に格納されたコンテンツＡの補足のコンテンツとして配信する状況の処理について説明する。
【０１１１】
コンテンツＢをコンテンツＡに無線通信３０１により、配布するために、例えば、次世代光ディスク向けの著作権保護技術に含まれるＡＡＣＳ（Advanced Access Content System）の機能の一つであるManaged Copyを車載向けに拡張して用いればよい。
【０１１２】
本実施形態では、光ディスク１１０のディスク固有情報１２１が、コンテンツ配信サーバ３０４に、アップロードされて、メモリエリア３０６に保持される。
【０１１３】
そして、アップロードされたディスク固有情報１２１に基づき、コンテンツＡの補足のコンテンツとして配信するコンテンツＢのダウンロードが許可される。
【０１１４】
また、このときの付加的な機能として、コンテンツＢのダウンロードの許可をおこなう場合に、上記の光ディスク１１０のディスク固有情報１２１に加えて、ＩＣカードより入力される車両固有情報も要求するようにしてもよい。車両固有情報は、ＥＴＣシステムで用いられる車両情報や、ＥＴＣで用いられるクレジット番号等の車両の固有の情報である。
【０１１５】
そして、コンテンツ配信サーバ３０４上のコンテンツＢを、無線通信３０１により、車載無線通信装置１０１にダウンロードする。
【０１１６】
本実施形態では、制御部１０８は、ディスク固有情報１２１と、車両固有情報１１４から暗号鍵１３０を生成し、配信されたコンテンツＢを暗号化する。
【０１１７】
そして、コンテンツＢを再生するときには、ハードディスクドライブ１０９に格納されているコンテンツＣを、暗号鍵１３０により、平文のコンテンツＢに復号化して再生する。
【０１１８】
その際に、オリジナルの光ディスク１１０が車載光ディスク再生装置１０１に挿着されているか否かをチェックして、オリジナルの光ディスク１１０が挿着されているときにのみ、復号化されたコンテンツを再生することは、第一の実施形態と同様である。
【０１１９】
ここで、オリジナルの光ディスク１１０が車載光ディスク再生装置１０１に挿着されているか否かは、メモリエリア１０４に保持されており、暗号化のときにに用いられたディスク固有情報１２１と、現在挿着している光ディスクのディスク固有情報が一致しているか否かにより、チェックする。
【０１２０】
本実施形態では、オリジナルの光ディスク１１０上に格納されているコンテンツＡの再生の仕方には、特に、規定しないが、第一の実施形態で説明した方法により、ハードディスクドライブ１０９上に暗号化してコピーしたものを復号化して再生する技術を用いてもよいし、単に、そのまま、コンテンツＡを再生してもよい。
【０１２１】
車載光ディスク再生装置１０１のハードウェア構成をより詳細に示すと、図１１のようになる。
【０１２２】
本実施形態の車載光ディスク再生装置１０１は、第一の実施形態のＣＰＵ１０、主記憶装置１１、表示部Ｉ／Ｆ１２、補助記憶部Ｉ／Ｆ１３、入出力Ｉ／Ｆ１４が、バス００によって結合された形態に、無線通信Ｉ／Ｆ１５が接続されている。
【０１２３】
そして、アンテナにより、所定の通信規格により、データの送受信がおこなえるようになっている。
【０１２４】
コンテンツ配信サーバ３０４のハードウェア構成をより詳細に示すと、図１２のようになる。
【０１２５】
本実施形態のコンテンツ配信サーバ３０４は、ＣＰＵ６１０、主記憶装置６１１、表示部Ｉ／Ｆ６１２、入出力Ｉ／Ｆ６１４、無線通信Ｉ／Ｆ６１５、ディスクアレイ装置Ｉ／Ｆ６１６がバス６００によって結合された形態である。
【０１２６】
ディスクアレイ装置Ｉ／Ｆ６１６には、コンテンツを格納するための大容量記憶装置であるディスクアレイ装置６３０が接続されている。
【０１２７】
ディスクアレイ装置Ｉ／Ｆ６１６に格納されているコンテンツは、取り出されて、無線装置Ｉ／Ｆ６１５を介して、アンテナ３０３より、車載光ディスク再生装置１０１に送信される。
【０１２８】
本実施形態で実行されるプログラムとして、データベースプログラム６３５、ディスク固有情報受信プログラム６３６、コンテンツ送信プログラム６３７が、主記憶装置６１１上に保持される。
【０１２９】
データベースプログラム６３５は、コンテンツをデータベースとして、管理しアクセスするプログラムである。データベースプログラム６３５は、受信したディスク固有情報１２１より、ダウンロードするコンテンツＢを検索する。
【０１３０】
ディスク固有情報受信プログラム６３６は、ディスク固有情報１２１を受信するプログラムである。
【０１３１】
コンテンツ送信プログラム６３７は、コンテンツを車載光ディスク再生装置１０１に無線により送信するプログラムである。
【０１３２】
〔実施形態４〕
以下、本発明に係る第四の実施形態を、図１３ないし図１５を用いて説明する。
図１３は、本発明の第四の実施形態に係る車載光ディスク再生システムの構成図である。
図１４は、本発明の第四の実施形態に係るコンテンツコピー装置のハードウェア構成図である。
図１５は、本発明の第四の実施形態に係るコンテンツ配信サーバのハードウェア構成図である。
【０１３３】
本実施形態は、第二の実施形態のシステム形態と、第三の実施形態のシステム形態を組み合わせたような構成になっている。第二の実施形態では、コンテンツ配信サーバ３０４から車載光ディスク再生装置１０１から、無線通信３０１により、コンテンツＢをダウンロードしたが、本実施形態では、コンテンツ配信サーバ３０４からコンテンツコピー装置２０１に、有線のネットワーク４０１により、コンテンツＢをダウンロードする。
【０１３４】
そして、コンテンツコピー装置２０１からメモリカード２０６にコンテンツを書き込み、車載光ディスク再生装置２１９により暗号化されたコンテンツを復号して、再生する処理は、第二の実施形態と全く同様である。
【０１３５】
本実施形態の車載光ディスク再生システムは、図１３に示されるように、コンテンツ配信サーバ３０４と、コンテンツコピー装置２０１と、車載光ディスク再生装置２１９からなる。
【０１３６】
本実施形態のコンテンツ配信サーバ３０４と、コンテンツコピー装置２１０は、有線ネットワーク４０１に接続され、それぞれデータの送受信がおこなえるようになっている。
【０１３７】
第三の実施形態とは、通信が無線と有線の違い、また、コンテンツ配信サーバ３０４がコンテンツをダウンロードするのが、コンテンツコピー装置２０１であることが異なっている。
【０１３８】
光ディスク１１０には、第一の実施形態と同様に、ディスク固有情報とコンテンツＡが格納されている。
【０１３９】
ここでも、第三の実施形態と同様に、コンテンツＢを、光ディスク１１０に格納されたコンテンツＡの補足のコンテンツとして配信する状況の処理について説明する。
【０１４０】
本実施形態では、光ディスク１１０のディスク固有情報１２１を、コンテンツ配信サーバ３０４に、アップロードして、コンテンツＡの補足のコンテンツとして配信するコンテンツＢを定める。また、コンテンツ配信サーバ３０４にアップロードされた光ディスク２０７のディスク固有情報２１４は、メモリエリア３０６に保持される。
【０１４１】
そして、コンテンツ配信サーバ３０４上のコンテンツＢを、有線ネットワーク４０１により、コンテンツコピー装置２０１にダウンロードする。
【０１４２】
本実施形態でも、制御部２０４は、ディスク固有情報１２１と、車両固有情報１１４から暗号鍵２４０ａを生成し、配信されたコンテンツＢをコンテンツＣとして暗号化する。
【０１４３】
そして、暗号化されたコンテンツＣは、メモリカード２０６に書き込まれる。
【０１４４】
ユーザは、暗号化されたコンテンツＣが格納されたメモリカード２０６を、車載光ディスク装置２１９のメモリカード装置２２５に挿着して、そのコンテンツＣを暗号鍵２４０ｂにより、復号化して、平文のコンテンツＢを再生する手順は、第二の実施形態と全く同様である。また、そのときに、オリジナルの光ディスク２０４を車載光ディスク装置２１９に挿着しなければ、コンテンツＢの再生を中止することも第二の実施形態と全く同様である。
【０１４５】
コンテンツコピー装置２０１のハードウェア構成をより詳細に示すと、図１４のようになる。
【０１４６】
コンテンツコピー装置２０１は、図２の車載光ディスク再生装置と類似したアーキテクチャであり、ＣＰＵ４１０、主記憶装置４１１、表示部Ｉ／Ｆ４１２、補助記憶部Ｉ／Ｆ４１３、入出力Ｉ／Ｆ４１４が、バス４００によって結合された形態に加えて、ネットワークＩ／Ｆ４１７を有している。
【０１４７】
ネットワークＩ／Ｆ４１７には、有線ネットワーク４０１が接続されており、外部のネットワークに接続された機器とデータの送受信がおこなえるようになっている。
【０１４８】
コンテンツ配信サーバ３０４のハードウェア構成をより詳細に示すと、図１５のようになる。
【０１４９】
本実施形態のコンテンツ配信サーバ３０４は、第三の実施形態のコンテンツ配信サーバ３０４の構成とほぼ同様であるが、無線通信Ｉ／Ｆ１５の代わりに、ネットワークＩ／Ｆ６１８を有していることが異なっている。
【０１５０】
ネットワークＩ／Ｆ６１８には、有線ネットワーク４０１が接続されており、外部のネットワークに接続された機器とデータの送受信がおこなえるようになっている。
【図面の簡単な説明】
【０１５１】
【図１】本発明の第一の実施形態に係る車載光ディスク再生装置１０１の構成図である。
【図２】本発明の第一の実施形態に係る車載光ディスク再生装置１０１のハードウェア構成図である。
【図３】本発明の第一の実施形態に係る車載光ディスク再生装置１０１のコンテンツコピー時の処理を示すフローチャートである。
【図４】本発明の第一の実施形態に係る車載光ディスク再生装置１０１のコンテンツ再生時の処理を示すフローチャートである。
【図５】本発明の第二の実施形態に係る車載光ディスク再生システムの構成図である。
【図６】本発明の第二の実施形態に係るコンテンツコピー装置のハードウェア構成図である。
【図７】本発明の第二の実施形態に係る車載光ディスク装置のハードウェア構成図である。
【図８】本発明の第二の実施形態に係るコンテンツコピー装置２０１のコンテンツコピー時の処理を示すフローチャートである。
【図９】本発明の第二の実施形態に係る車載光ディスク再生装置２１９のコンテンツ再生時の処理を示すフローチャートである。
【図１０】本発明の第三の実施形態に係る車載光ディスク再生システムの構成図である。
【図１１】本発明の第三の実施形態に係る車載光ディスク装置のハードウェア構成図である。
【図１２】本発明の第三の実施形態に係るコンテンツ配信サーバのハードウェア構成図である。
【図１３】本発明の第四の実施形態に係る車載光ディスク再生システムの構成図である。
【図１４】本発明の第四の実施形態に係るコンテンツコピー装置のハードウェア構成図である。
【図１５】本発明の第四の実施形態に係るコンテンツ配信サーバのハードウェア構成図である。
【符号の説明】
【０１５２】
１０１…車載光ディスク再生装置、１０２…センサ、１０３…カードリーダ、１０７…表示部、１０８…制御部、１０９…ハードディスクドライブ、１１０…光ディスク、１０８…制御部、１０９…ハードディスクドライブ、１１１…ディスク検出部、１１２…光ピックアップ、１１４…車両固有情報、１２１…ディスク固有情報、１３０…暗号鍵、１４０…ＩＣカード、
００…バス、１０…ＣＰＵ、１１…主記憶装置、１２…表示部Ｉ／Ｆ、１３…補助記憶部Ｉ／Ｆ、１４…入出力Ｉ／Ｆ、２０…光ディスク入出力部、２１…タッチボタン、３０…暗号鍵処理プログラム、３１…暗号処理プログラム、３２…復号処理プログラム、３３…コンテンツコピープログラム、３４…コンテンツ再生プログラム。
【図１】
2009301666.tif 000003
【図２】
2009301666.tif 000004
【図３】
2009301666.tif 000005
【図４】
2009301666.tif 000006
【図５】
2009301666.tif 000007
【図６】
2009301666.tif 000008
【図７】
2009301666.tif 000009
【図８】
2009301666.tif 000010
【図９】
2009301666.tif 000011
【図１０】
2009301666.tif 000012
【図１１】
2009301666.tif 000013
【図１２】
2009301666.tif 000014
【図１３】
2009301666.tif 000015
【図１４】
2009301666.tif 000016
【図１５】
2009301666.tif 000017